【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
エネルギービームを照射することで光学的に異なる形態に変化させ情報を記録可能な記録膜を備える光ディスクに対し、前記エネルギービームに少なくとも２つの発光パワーレベルを持たせ、該エネルギービームを前記光ディスクの記録膜面内で相対的に移動させるとともに、各パワーレベルの発光時間を変えて複数のパルス状に照射することにより、前記光学的に異なる形態にある記録マークの長さ及びスペースの長さとして情報を記録する光ディスク記録方法であって、
前記複数のエネルギービームパルスのうち、先頭パルスの位置および幅を記録するマーク長及び前スペース長に応じて各々独立に適宜変化させながら記録し、最終パルスの位置および／または幅を記録するマーク長及び後スペース長に応じて適宜変化させながら記録することを特徴とする光ディスク記録方法。
【請求項２】
エネルギービームを照射することで光学的に異なる形態に変化させ情報を記録可能な記録膜を備える光ディスクに対し、前記エネルギービームに少なくとも２つの発光パワーレベルを持たせ、該エネルギービームを前記光ディスクの記録膜面内で相対的に移動させるとともに、各パワーレベルの発光時間を変えて複数のパルス状に照射することにより、前記光学的に異なる形態にある記録マークの長さ及びスペースの長さとして情報を記録する光ディスク記録方法であって、
前記エネルギービームのパルスの発光時間に関する設定値を、係数（整数）と基準クロックの積を所定の整数で除算したものとして定義し、
前記係数は、基準値と該基準値に対する変位量の和で表され、
先頭パルスの位置を記録マーク長及び前スペース長に対応させて、前記変位量を第一のテーブルに保持し、
先頭パルスの幅を記録マーク長及び前スペース長に対応させて、前記変位量を第二のテーブルに保持し、
先頭パルスの位置を前記第一のテーブルに基づいて変化させ、先頭パルスの幅を前記第二のテーブルに基づいて変化させて前記光ディスクに情報を記録することを特徴とする光ディスク記録方法。
【請求項３】
エネルギービームの照射によって光学的に異なる形態に変化可能な記録膜を備え、少なくとも２つの発光パワーレベルを有するエネルギービームの各パワーレベルの発光時間を変えて複数のパルス状に照射されて、前記光学的に異なる形態にある記録マークの長さ及びスペースの長さとして情報が記録される光ディスクであって、
前記エネルギービームのパルスの発光時間に関する設定値を、係数（整数）と基準クロックの積を所定の整数で除算したものとして定義し、
前記係数は、基準値と該基準値に対する変位量の和で表され、
先頭パルスの位置に関する設定値を、記録マーク長及び前スペース長に対応させた前記変位量として規定したテーブルと、
先頭パルスの幅に関する設定値を、記録マーク長及び前スペース長に対応させた前記変位量として規定したテーブルと、を有することを特徴とする光ディスク。
【請求項４】
エネルギービームを照射することで光学的に異なる形態に変化させ情報を記録可能な記録膜を備える光ディスクを再生する光ディスク再生方法であって、
前記情報は、前記エネルギービームに少なくとも２つの発光パワーレベルを持たせ、該エネルギービームを前記光ディスクの記録膜面内で相対的に移動させるとともに、各パワーレベルの発光時間を変えて複数のパルス状に照射することにより、前記光学的に異なる形態にある記録マークの長さ及びスペースの長さとして記録された情報であって、
前記エネルギービームのパルスの発光時間に関する設定値を、係数（整数）と基準クロックの積を所定の整数で除算したものとして定義し、
前記係数は、基準値と該基準値に対する変位量の和で表され、
先頭パルスの位置を記録マーク長及び前スペース長に対応させて、前記変位量を第一のテーブルに保持し、
先頭パルスの幅を記録マーク長及び前スペース長に対応させて、前記変位量を第二のテーブルに保持し、
前記情報は、先頭パルスの位置及び幅を、前記第１及び第２のテーブルに基づいて変化させて記録された情報であることを特徴とする光ディスク再生方法。
【請求項５】
エネルギービームの各パワーレベルの発光時間を変えて複数のパルス状に照射することにより、情報を、記録マークの長さ及びスペースの長さとして光ディスクに記録可能な光ディスク装置であって、
エネルギービーム発生器と、
前記エネルギービーム発生器の発生するエネルギービームの発光パワーを少なくとも２つの所定のパワーレベルに設定可能なパワー調整手段と、
前記光ディスクを保持する保持機構と、
前記エネルギービームを前記光ディスクの記録膜面内で相対的に移動可能な移動手段と、
記録すべき情報を前記エネルギービームのパワーレベル変化に変換する変換手段と、
前記エネルギービームの発光制御に関する設定値を保持する記憶手段を有し、
前記エネルギービームのパルスの発光時間に関する設定値を、係数（整数）と基準クロックの積を所定の整数で除算したものとして定義し、
前記係数は、基準値と該基準値に対する変位量の和で表され、
前記記憶手段は、先頭パルスの位置を記録マーク長及び前スペース長に対応させて、前記変位量を第一のテーブルとして保持し、先頭パルスの幅を記録マーク長及び前スペース長に対応させて、前記変位量を第二のテーブルとして保持し、
前記パワー調整手段は、前記第一のテーブルと前記第二のテーブルを参照しながら発光パルスのタイミング制御を行うことを特徴とする光ディスク装置。
【請求項６】
追記型の第１の光ディスクと書き換え型の第２の光ディスクとにエネルギービームを複数のパルス状に照射することにより情報を記録する光ディスク装置の記録方法であって、
前記複数のエネルギービームパルスの発光時間に関する設定値を基準クロックに対して線形項と定数項との和で表現し、前記線形項の係数及び定数項の係数が各々整数となるよう定義し、
前記第１の光ディスクに関する先頭パルスの位置を記録マーク長及び前スペース長に対応させて前記基準クロックに対する線形項の係数を第１のテーブルに保持し、
前記第１の光ディスクに関する先頭パルスの幅を記録マーク長及び前スペース長に対応させて前記基準クロックに対する線形項の係数及び定数項の係数の各々を第２のテーブルに保持し、
前記第１の光ディスクに関する最終パルスの幅を記録マーク長に対応させて前記基準クロックに対する線形項の係数及び定数項の係数の各々を第３のテーブルに保持し、
前記第２の光ディスクに関する最終パルスの幅を記録マーク長に対応させて前記基準クロックに対する線形項の係数及び定数項の係数の各々を第４のテーブルに保持し、
前記先頭パルスの位置及び幅を、前記第１及び第２のテーブルに基づいて変化させ、前記第１の光ディスクに関する最終パルスの幅を、前記第３のテーブルに基づいて変化させて前記第１の光ディスクに情報を記録し、
前記第２の光ディスクに関する最終パルスの幅を、前記第４のテーブルに基づいて変化させて前記第２の光ディスクに情報を記録することを特徴とする光ディスク記録方法。
【請求項７】
追記型の第１の光ディスクに記録された第１の情報と書き換え型の第２の光ディスクに記録された第２の情報とを再生する光ディスク装置の光ディスク再生方法であって、
前記第１の情報及び前記第２の情報は、エネルギービームを複数のパルス状に照射することにより記録された情報であって、
前記複数のエネルギービームパルスの発光時間に関する設定値を基準クロックに対して線形項と定数項との和で表現し、前記線形項の係数及び定数項の係数が各々整数となるよう定義し、
前記第１の光ディスクに関する先頭パルスの位置を記録マーク長及び前スペース長に対応させて前記基準クロックに対する線形項の係数を第１のテーブルに保持し、
前記第１の光ディスクに関する先頭パルスの幅を記録マーク長及び前スペース長に対応させて前記基準クロックに対する線形項の係数及び定数項の係数の各々を第２のテーブルに保持し、
前記第１の光ディスクに関する最終パルスの幅を記録マーク長に対応させて前記基準クロックに対する線形項の係数及び定数項の係数の各々を第３のテーブルに保持し、
前記第２の光ディスクに関する最終パルスの幅を記録マーク長に対応させて前記基準クロックに対する線形項の係数及び定数項の係数の各々を第４のテーブルに保持し、
前記第１の情報は、前記先頭パルスの位置及び幅を、前記第１及び第２のテーブルに基づいて変化させ、前記第１の光ディスクに関する最終パルスの幅を、前記第３のテーブルに基づいて変化させて前記第１の光ディスクに記録された情報であり、
前記第２の情報は、前記第２の光ディスクに関する最終パルスの幅を、前記第４のテーブルに基づいて変化させて前記第２の光ディスクに記録された情報であることを特徴とする光ディスク再生方法。
【請求項８】
追記型の第１の光ディスクと書き換え型の第２の光ディスクとを装填可能な光ディスク装置における情報の記録方法であって、
前記複数のエネルギービームパルスの発光時間に関する設定値を基準クロックに対して線形項と定数項との和で表現し、前記線形項の係数及び定数項の係数が各々整数となるよう定義し、
前記第１の光ディスクは、先頭パルスの位置を記録マーク長及び前スペース長に対応させた前記基準クロックに対する線形項の係数が保持された第１のテーブルと、先頭パルスの幅を記録マーク長及び前スペース長に対応させた前記基準クロックに対する線形項の係数及び定数項の係数の各々が保持された第２のテーブルと、最終パルスの幅を記録マーク長に対応させた前記基準クロックに対する線形項の係数及び定数項の係数の各々が保持された第３のテーブルと、を有し、
前記第２の光ディスクは、最終パルスの幅を記録マーク長に対応させて前記基準クロックに対する線形項の係数及び定数項の係数の各々が保持された第４のテーブルを有し、
前記光ディスク装置に前記第１の光ディスクが装填された場合、前記先頭パルスの位置及び幅を、前記第１及び第２のテーブルに基づいて変化させ、前記第１の光ディスクに関する最終パルスの幅を、前記第３のテーブルに基づいて変化させて前記第１の光ディスクに情報を記録し、
前記光ディスク装置に前記第２の光ディスクが装填された場合、前記第２の光ディスクに関する最終パルスの幅を、前記第４のテーブルに基づいて変化させて前記第２の光ディスクに情報を記録することを特徴とする光ディスク記録方法。
【請求項９】
追記型の第１の光ディスクと書き換え型の第２の光ディスクとを装填可能な光ディスク装置における情報の再生方法であって、
前記第１の光ディスクは、第１の情報を有し、
前記第２の光ディスクは、第２の情報を有し、
前記第１の情報及び前記第２の情報は、エネルギービームを複数のパルス状に照射することにより記録された情報であって、
前記複数のエネルギービームパルスの発光時間に関する設定値を基準クロックに対して線形項と定数項との和で表現し、前記線形項の係数及び定数項の係数が各々整数となるよう定義し、
前記第１の光ディスクは、先頭パルスの位置を記録マーク長及び前スペース長に対応させた前記基準クロックに対する線形項の係数が保持された第１のテーブルと、先頭パルスの幅を記録マーク長及び前スペース長に対応させた前記基準クロックに対する線形項の係数及び定数項の係数の各々が保持された第２のテーブルと、最終パルスの幅を記録マーク長に対応させた前記基準クロックに対する線形項の係数及び定数項の係数の各々が保持された第３のテーブルと、を有し、
前記第２の光ディスクは、最終パルスの幅を記録マーク長に対応させて前記基準クロックに対する線形項の係数及び定数項の係数の各々が保持された第４のテーブルを有し、
前記第１の情報は、前記先頭パルスの位置及び幅を、前記第１及び第２のテーブルに基づいて変化させ、前記第１の光ディスクに関する最終パルスの幅を、前記第３のテーブルに基づいて変化させて前記第１の光ディスクに記録された情報であり、
前記第２の情報は、前記第２の光ディスクに関する最終パルスの幅を、前記第４のテーブルに基づいて変化させて前記第２の光ディスクに記録された情報であり、
前記光ディスク装置に前記第１の光ディスクが装填された場合、前記第１の光ディスクから前記第１の情報を再生し、
前記光ディスク装置に前記第２の光ディスクが装填された場合、前記第２の光ディスクから前記第２の情報を再生することを特徴とする光ディスク再生方法。